(57)【要約】【課題】鉛直方向と交差する水平方向における小型化を図ることができる画像形成装置を提供すること。【解決手段】プリンタ１に、本体ケーシング２と、本体ケーシング２に対して着脱可能なプロセスカートリッジ１５であって、感光ドラム２０およびドラム把持部１２０を備えるプロセスカートリッジ１５と、感光ドラム２０を露光するように構成されるスキャナユニット１６であって、プロセスカートリッジ１５が本体ケーシング２に装着しているときに前後方向から見て、少なくとも一部がプロセスカートリッジ１５と重なるスキャナユニット１６とを備える。そして、ドラム把持部１２０を、プロセスカートリッジ１５が本体ケーシング２に装着されているときに、鉛直方向に重なるように、スキャナユニット１６の上方に配置する。【選択図】図１
2015197517.tif 000002
【特許請求の範囲】
【請求項１】
筐体と、
前記筐体に対して着脱可能なプロセスカートリッジであって、第１方向に延びる感光体、および、取手を備えるプロセスカートリッジと、
前記感光体を露光するように構成される露光装置であって、前記プロセスカートリッジが前記筐体に装着しているときに、前記第１方向と直交しかつ水平である水平方向から見て、少なくとも一部が、前記プロセスカートリッジと重なるように配置される露光装置と、
を備え、
前記取手は、前記プロセスカートリッジが前記筐体に装着されているときに、前記第１方向および前記水平方向の両方向と交差する鉛直方向において前記露光装置と重なるように、前記露光装置の上方に配置されていることを特徴とする、画像形成装置。
【請求項２】
前記プロセスカートリッジは、
前記感光体を有する感光体カートリッジと、
現像剤を収容し、前記感光体カートリッジに対して着脱可能な現像カートリッジとを備え、
前記取手は、前記感光体カートリッジに備えられる感光側取手を備えることを特徴とする、請求項１に記載の画像形成装置。
【請求項３】
前記プロセスカートリッジは、
前記感光体を有する感光体カートリッジと、
現像剤を収容し、前記感光体カートリッジに対して着脱可能な現像カートリッジとを備え、
前記取手は、前記現像カートリッジに備えられる現像側取手を備えることを特徴とする、請求項１に記載の画像形成装置。
【請求項４】
前記プロセスカートリッジは、
前記感光体を有する感光体カートリッジと、
現像剤を収容し、前記感光体カートリッジに対して着脱可能な現像カートリッジとを備え、
前記取手は、
前記感光体カートリッジに備えられる感光側取手と、
前記現像カートリッジに備えられる現像側取手とを備えることを特徴とする、請求項１に記載の画像形成装置。
【請求項５】
前記感光側取手および前記現像側取手のいずれか一方は、前記感光側取手および前記現像側取手のいずれか他方に対して、前記水平方向に並ぶように配置されていることを特徴とする、請求項４に記載の画像形成装置。
【請求項６】
前記露光装置は、前記感光体に向けてレーザ光を出射するように構成され、
前記感光体カートリッジは、前記レーザ光の通過を許容するように構成される開口を有していることを特徴とする、請求項２〜５のいずれか一項に記載の画像形成装置。
【請求項７】
前記取手は、前記レーザ光の出射軌跡に対して前記鉛直方向の上方に配置されていることを特徴とする、請求項６に記載の画像形成装置。
【請求項８】
前記現像カートリッジは、前記感光体に現像剤を供給するように構成される現像ローラを備え、
前記現像ローラは、前記レーザ光の出射軌跡に対して前記鉛直方向の下方に配置されていることを特徴とする、請求項６または７に記載の画像形成装置。
【請求項９】
前記筐体は、前記プロセスカートリッジの通過を許容するように構成され、前記露光装置に対して前記水平方向の他方に配置される本体開口を有していることを特徴とする、請求項１〜８のいずれか一項に記載の画像形成装置。
【請求項１０】
前記筐体は、前記本体開口を閉鎖する閉鎖位置と前記本体開口を開放する開放位置との間を、移動するように構成されるカバーを有し、
前記カバーは、前記筐体に装着される前記プロセスカートリッジに対して前記鉛直方向の上方に配置されていることを特徴とする、請求項９に記載の画像形成装置。
【請求項１１】
前記カバーは、回動軸を備え、前記回動軸を支点として、前記閉鎖位置と前記開放位置との間を揺動するように構成され、
前記回動軸は、前記筐体に装着された前記プロセスカートリッジに対して、前記水平方向の他方に配置されていることを特徴とする、請求項１０に記載の画像形成装置。
【請求項１２】
前記プロセスカートリッジよりも前記水平方向の他方に配置され、前記感光体から記録媒体上に転写された現像剤像を、記録媒体に定着するように構成される定着ユニットと、
前記感光体を帯電するように構成される帯電器とをさらに備え、
前記回動軸は、前記水平方向において、前記定着ユニットと前記帯電器との間に配置されていることを特徴とする、請求項１１に記載の画像形成装置。
【請求項１３】
前記筐体よりも前記鉛直方向の上方において、原稿の画像情報を読み取り可能な画像読取部をさらに備え、
前記画像読取部は、前記プロセスカートリッジを、前記筐体に対して着脱するときに、前記露光装置と前記画像読取部との間の通過させるように構成されていることを特徴とする、請求項１〜１２のいずれか一項に記載の画像形成装置。
【請求項１４】
前記プロセスカートリッジよりも前記鉛直方向の下方に配置され、記録媒体を収容するように構成される給紙カセットと、
前記プロセスカートリッジよりも前記水平方向の一方、かつ、前記露光装置よりも前記鉛直方向の下方に配置され、前記給紙カセット上の記録媒体を１枚ずつ分離するように構成される分離ローラと、
前記プロセスカートリッジよりも前記水平方向の他方に配置され、前記感光体から記録媒体上に転写された現像剤像を、記録媒体に定着するように構成される定着ユニットとをさらに備えていることを特徴とする、請求項１〜１３のいずれか一項に記載の画像形成装置。
【請求項１５】
前記取手および揺動軸を備える取手ユニットを備え、
前記取手は、前記揺動軸を支点として揺動するように構成されていることを特徴とする、請求項１〜１４のいずれか一項に記載の画像形成装置。
【請求項１６】
前記感光体を帯電するように構成される帯電器をさらに備え、
前記感光体は、前記第１方向に延び、回転可能に構成される感光ドラムであり、
前記帯電器は、前記感光ドラムの回転軸線を通る鉛直面に対して、前記露光装置側に配置されていることを特徴とする、請求項１〜１５のいずれか一項に記載の画像形成装置。
【請求項１７】
筐体と、
第１方向に延びる感光体と、
現像剤を収容し、前記筐体に対して着脱可能な現像カートリッジであって、取手を備える現像カートリッジと、
前記感光体を露光するように構成される露光装置であって、前記現像カートリッジが前記筐体に装着しているときに、前記第１方向と直交しかつ水平である水平方向から見て、少なくとも一部が、前記現像カートリッジと重なるように配置される露光装置と、
を備え、
前記取手は、前記現像カートリッジが前記筐体に装着されているときに、前記第１方向および前記水平方向の両方向と交差する鉛直方向において前記露光装置と重なるように、前記露光装置の上方に配置されていることを特徴とする、画像形成装置。
【請求項１８】
前記露光装置は、前記感光体に向けてレーザ光を出射するように構成され、
前記取手は、前記レーザ光の出射軌跡に対して前記鉛直方向の上方に配置されていることを特徴とする、請求項１７に記載の画像形成装置。
【請求項１９】
前記現像カートリッジは、前記感光体に現像剤を供給するように構成される現像ローラを備え、
前記現像ローラは、前記レーザ光の出射軌跡に対して前記鉛直方向の下方に配置されていることを特徴とする、請求項１８に記載の画像形成装置。
【請求項２０】
前記筐体は、前記現像カートリッジの通過を許容するように構成され、前記露光装置に対して前記水平方向の他方に配置される本体開口を有していることを特徴とする、請求項１７〜１９のいずれか一項に記載の画像形成装置。
【請求項２１】
前記筐体は、前記本体開口を閉鎖する閉鎖位置と前記本体開口を開放する開放位置との間を、移動するように構成されるカバーを有し、
前記カバーは、前記筐体に装着される前記現像カートリッジに対して前記鉛直方向の上方に配置されていることを特徴とする、請求項２０に記載の画像形成装置。
【請求項２２】
前記カバーは、回動軸を備え、前記回動軸を支点として、前記閉鎖位置と前記開放位置との間を揺動するように構成され、
前記回動軸は、前記筐体に装着された前記現像カートリッジに対して、前記水平方向の他方に配置されていることを特徴とする、請求項２１に記載の画像形成装置。
【請求項２３】
前記現像カートリッジよりも前記水平方向の他方に配置され、前記感光体から記録媒体上に転写された現像剤像を、記録媒体に定着するように構成される定着ユニットと、
前記感光体を帯電するように構成される帯電器とをさらに備え、
前記回動軸は、前記水平方向において、前記定着ユニットと前記帯電器との間に配置されていることを特徴とする、請求項２２に記載の画像形成装置。
【請求項２４】
前記筐体よりも前記鉛直方向の上方において、原稿の画像情報を読み取り可能な画像読取部をさらに備え、
前記画像読取部は、前記現像カートリッジを、前記筐体に対して着脱するときに、前記露光装置と前記画像読取部との間の通過させるように構成されていることを特徴とする、請求項１７〜２２のいずれか一項に記載の画像形成装置。
【請求項２５】
前記現像カートリッジよりも前記鉛直方向の下方に配置され、記録媒体を収容するように構成される給紙カセットと、
前記露光装置よりも前記鉛直方向の下方に配置され、前記給紙カセット上の記録媒体を１枚ずつ分離するように構成される分離ローラと、
前記現像カートリッジよりも前記水平方向の他方に配置され、前記感光体から記録媒体上に転写された現像剤像を、記録媒体に定着するように構成される定着ユニットとをさらに備えていることを特徴とする、請求項１７〜２４のいずれか一項に記載の画像形成装置。
【請求項２６】
前記感光体を帯電するように構成される帯電器をさらに備え、
前記感光体は、前記第１方向に延び、回転可能に構成される感光ドラムであり、
前記帯電器は、前記感光ドラムの回転軸線を通る鉛直面に対して、前記露光装置側に配置されていることを特徴とする、請求項１７〜２５のいずれか一項に記載の画像形成装置。
【発明の詳細な説明】
【技術分野】
【０００１】
本発明は、電子写真方式が採用される画像形成装置に関する。
【背景技術】
【０００２】
従来より、装置本体と、装置本体に着脱可能に構成され、感光体ドラムを備えるプロセスカートリッジとを備える電子写真方式の画像形成装置が知られている。
【０００３】
このような画像形成装置として、例えば、プロセスカートリッジが、取手を備え、装置本体が、感光体ドラムに向けて、画像情報に基づいた情報光を照射する光学系を備え、光学系が、装置本体に装着されたプロセスカートリッジに対して前方に配置される画像形成装置が提案されている（例えば、特許文献１参照）。
【０００４】
そして、そのような画像形成装置では、ユーザが、プロセスカートリッジの取手を把持して、プロセスカートリッジを装置本体から離脱する。
【先行技術文献】
【特許文献】
【０００５】
【特許文献１】特開２０１１−８２８６号公報
【発明の概要】
【発明が解決しようとする課題】
【０００６】
しかるに、特許文献１に記載のプロセスカートリッジにおいて、取手は、プロセスカートリッジの前方部分に配置されている。
【０００７】
そのため、特許文献１に記載の画像形成装置では、取手と光学系との前後方向の間に、取手を把持するためのスペースが確保されており、前後方向の小型化を図るには限度がある。
【０００８】
そこで、本発明の目的は、鉛直方向と交差する水平方向における小型化を図ることができる画像形成装置を提供することにある。
【課題を解決するための手段】
【０００９】
（１）本発明の画像形成装置は、筐体と、筐体に対して着脱可能なプロセスカートリッジであって、第１方向に延びる感光体、および、取手を備えるプロセスカートリッジと、感光体を露光するように構成される露光装置であって、プロセスカートリッジが筺体に装着しているときに、第１方向と直交しかつ水平である水平方向から見て、少なくとも一部が、プロセスカートリッジと重なるように配置される露光装置とを備えている。取手は、プロセスカートリッジが筐体に装着されているときに、第１方向および水平方向の両方向と交差する鉛直方向において露光装置と重なるように、露光装置の上方に配置されている。
【００１０】
このような構成によれば、取手が、プロセスカートリッジが筐体に装着されているときに、鉛直方向において露光装置と重なるように、露光装置の上方に配置されているので、水平方向において、プロセスカートリッジと露光装置との間のスペースを低減しても、ユーザは、取手を確実に把持することができ、プロセスカートリッジを筐体から円滑に離脱させることができる。
【００１１】
つまり、プロセスカートリッジを筐体から円滑に離脱させることができながら、画像形成装置の水平方向の小型化を図ることができる。
（２）プロセスカートリッジは、感光体を有する感光体カートリッジと、現像剤を収容し、感光体カートリッジに対して着脱可能な現像カートリッジとを備えていてもよい。この場合、取手は、感光体カートリッジに備えられる感光側取手を備えている。
【００１２】
しかるに、プロセスカートリッジが、感光体を備えるとともに、現像剤を収容する場合、プロセスカートリッジは、画像形成装置の画像形成動作に伴う現像剤の消費により、現像剤の内容量が所定量よりも少なくなると、装置本体から離脱され、交換される。そのため、プロセスカートリッジが備える感光体も、プロセスカートリッジとともに交換される。
【００１３】
しかし、感光体の寿命は、通常、プロセスカートリッジに収容される現像剤が、画像形成装置の画像形成動作により消費され、所定量よりも少なくなるまでの期間よりも長い。
【００１４】
そのため、プロセスカートリッジの交換とともに感光体を交換すると、ランニングコストの低減を図るには限度がある。
【００１５】
しかし、上記の構成によれば、現像剤を収容する現像カートリッジが、感光体カートリッジに対して着脱可能であるので、現像剤を収容する現像カートリッジと、感光体を有する感光体カートリッジとを別々に交換することができる。そのため、ランニングコストの低減を図ることができる。
【００１６】
また、感光体カートリッジが感光側取手を備えており、感光側取手は、プロセスカートリッジが筐体に装着されているときに、鉛直方向において露光装置と重なるように、露光装置の上方に配置される。そのため、ユーザは、感光側取手を確実に把持することができ、現像カートリッジおよび感光体カートリッジを一体のプロセスカートリッジとして、筐体から円滑に離脱させることができる。
【００１７】
従って、ランニングコストの低減を図ることができながら、プロセスカートリッジを筐体から円滑に離脱させることができる。
（３）プロセスカートリッジは、感光体を有する感光体カートリッジと、現像剤を収容し、感光体カートリッジに対して着脱可能な現像カートリッジとを備えていてもよい。この場合、取手は、現像カートリッジに備えられる現像側取手を備えている。
【００１８】
このような構成によれば、現像カートリッジが現像側取手を備えており、現像側取手は、プロセスカートリッジが筐体に装着されているときに、鉛直方向において露光装置と重なるように、露光装置の上方に配置される。そのため、ユーザは、現像側取手を確実に把持することができ、現像カートリッジを、筐体から円滑に離脱させることができる。
（４）プロセスカートリッジは、感光体を有する感光体カートリッジと、現像剤を収容し、感光体カートリッジに対して着脱可能な現像カートリッジとを備えていてもよいこの場合、取手は、感光体カートリッジに備えられる感光側取手と、現像カートリッジに備えられる現像側取手とを備えている。
【００１９】
このような構成によれば、感光体カートリッジが感光側取手を備え、現像カートリッジが現像側取手を備えているので、感光側取手および現像側取手のそれぞれは、プロセスカートリッジが筐体に装着されているときに、鉛直方向において露光装置と重なるように、露光装置の上方に配置される。そのため、ユーザは、プロセスカートリッジおよび現像カートリッジのそれぞれを、筐体から円滑に離脱させることができる。
（５）感光側取手および現像側取手のいずれか一方は、感光側取手および現像側取手のいずれか他方に対して、水平方向に並ぶように配置されていてもよい。
【００２０】
このような構成によれば、感光側取手および現像側取手のいずれか一方が、感光側取手および現像側取手のいずれか他方に対して、水平方向に並ぶように配置されているので、現像カートリッジまたはプロセスカートリッジを筐体から離脱させるときに、感光側取手または現像側取手のいずれを把持すればよいかが明確となる。
【００２１】
そのため、現像カートリッジおよびプロセスカートリッジのそれぞれを、筐体からより一層円滑に離脱させることができる。
（６）露光装置は、感光体に向けてレーザ光を出射するように構成されていてもよい。この場合、感光体カートリッジは、レーザ光の通過を許容するように構成される開口を有している。
【００２２】
このような構成によれば、感光体カートリッジが開口を有しているので、露光装置からのレーザ光は、開口を通過した後、感光体に到達する。そのため、感光体カートリッジが、レーザ光を遮ることを抑制でき、感光体の露光の邪魔になることを抑制できる。
（７）取手は、レーザ光の出射軌跡に対して鉛直方向の上方に配置されていてもよい。
【００２３】
このような構成によれば、取手が、出射軌跡に対して上方に配置されているので、取手に対して容易にアクセスすることができる。また、レーザ光は、取手の鉛直方向の下方を通過するので、取手が感光体の露光の邪魔になることを抑制できる。
（８）現像カートリッジは、感光体に現像剤を供給するように構成される現像ローラを備えていてもよい。この場合、現像ローラは、レーザ光の出射軌跡に対して鉛直方向の下方に配置されている。
【００２４】
このような構成によれば、現像カートリッジは、現像ローラがレーザ光の出射軌跡に対して鉛直方向の下方となるように、筐体内に配置されている。そのため、筐体内において、レーザ光の出射軌跡よりも下方のスペースを、現像カートリッジの少なくとも一部を配置するためのスペースとして利用でき、現像カートリッジの効率的な配置を確保することができる。
【００２５】
また、取手が出射軌跡に対して上方に配置されているので、現像カートリッジが上記のように配置されても、ユーザは取手を容易に把持することができ、プロセスカートリッジの筐体からの円滑な離脱を確保することができる。
（９）筐体は、プロセスカートリッジの通過を許容するように構成され、露光装置に対して水平方向の他方に配置される本体開口を有していてもよい。
【００２６】
このような構成によれば、筐体が本体開口を有しているので、プロセスカートリッジを、本体開口を介して、筐体に確実に着脱させることができる。
【００２７】
しかるに、本体開口は露光装置に対して水平方向の他方に配置されているので、ユーザが、露光装置よりも水平方向の一方から、筐体に装着されるプロセスカートリッジにアクセスする場合、ユーザからプロセスカートリッジまでの間には、露光装置が配置される。そのため、ユーザからプロセスカートリッジまでの距離が遠くなり、プロセスカートリッジの筐体からの離脱作業が煩雑となる場合がある。
【００２８】
一方、上記の構成によれば、取手が、プロセスカートリッジが筐体に装着されているときに、鉛直方向において露光装置と重なるように、露光装置の上方に配置されているので、本体開口が露光装置に対して水平方向の他方に配置されていても、プロセスカートリッジを筐体から円滑に離脱させることができる。
（１０）筐体は、本体開口を閉鎖する閉鎖位置と本体開口を開放する開放位置との間を、移動するように構成されるカバーを有していてもよい。この場合、カバーは、筐体に装着されるプロセスカートリッジに対して鉛直方向の上方に配置されている。
【００２９】
このような構成によれば、カバーが閉鎖位置と開放位置との間を移動するので、カバーを閉鎖位置に配置することにより、外部からの光が、本体開口を介して、筐体内に侵入することを低減できる。そのため、感光体に外部からの光が当たることを抑制でき、感光体の劣化や、感光体の表面に形成される静電潜像が乱れることを抑制できる。
【００３０】
一方、カバーを開放位置に配置することにより、本体開口が開放されるので、プロセスカートリッジを、本体開口を介して、筐体に確実に着脱することができる。
（１１）カバーは、回動軸を備え、回動軸を支点として、閉鎖位置と開放位置との間を揺動するように構成されていてもよい。この場合、回動軸は、筐体に装着されたプロセスカートリッジに対して、水平方向の他方に配置されている。
【００３１】
このような構成によれば、回動軸が、筐体に装着されたプロセスカートリッジに対して、水平方向の他方に配置されており、カバーが、筐体に装着されるプロセスカートリッジに対して鉛直方向の上方に配置されているので、カバーにおける回動軸と反対の端部は、回動軸よりも水平方向の一方に配置されている。
【００３２】
そのため、ユーザは、露光装置よりも水平方向の一方から、カバーにおける回動軸と反対の端部、つまり、カバーの水平方向の一端部に容易にアクセスすることができる。
【００３３】
そして、カバーの水平方向の一端部を操作することにより、カバーを閉鎖位置と開放位置とに確実に移動させることができる。
（１２）画像形成装置は、プロセスカートリッジよりも水平方向の他方に配置され、感光体から記録媒体上に転写された現像剤像を、記録媒体に定着するように構成される定着ユニットと、感光体を帯電するように構成される帯電器とをさらに備えていてもよい。この場合、回動軸は、水平方向において、定着ユニットと帯電器との間に配置されている。
【００３４】
このような構成によれば、画像形成装置が定着ユニットを備えるので、感光体から記録媒体上に転写された現像剤像を、記録媒体に確実に定着させることができる。しかし、このような定着動作では、ガスが発生する場合がある。そして、そのようなガスが帯電器に接触し付着すると、帯電器による感光体の帯電が阻害され、感光体の帯電不良が生じる場合がある。
【００３５】
この点、上記の構成によれば、回動軸が定着ユニットと帯電器との間に配置されているので、定着ユニットから発生したガスが、帯電器に供給されることを抑制することができる。
（１３）画像形成装置は、筐体よりも鉛直方向の上方において、原稿の画像情報を読み取り可能な画像読取部をさらに備えていてもよい。この場合、画像読取部は、プロセスカートリッジを、筐体に対して着脱するときに、露光装置と画像読取部との間の通過させるように構成されている。
【００３６】
このような構成によれば、画像形成装置は、画像読取部を備えているので、画像読取部が読み取る原稿の画像情報に基づいて、記録媒体に画像を形成することができる。
【００３７】
しかし、画像読取部が筐体よりも鉛直方向の上方に配置されているので、画像読取部が、プロセスカートリッジの筐体に対する着脱の邪魔になる場合がある。
【００３８】
一方、上記の構成によれば、プロセスカートリッジが、筐体に対して着脱するときに、露光装置と画像読取部との間を通過するので、画像読取部が、プロセスカートリッジの筐体に対する着脱の邪魔になることを抑制できる。
（１４）画像形成装置は、プロセスカートリッジよりも鉛直方向の下方に配置され、記録媒体を収容するように構成される給紙カセットと、プロセスカートリッジよりも水平方向の一方、かつ、露光装置よりも鉛直方向の下方に配置され、給紙カセット上の記録媒体を１枚ずつ分離するように構成される分離ローラと、プロセスカートリッジよりも水平方向の他方に配置され、感光体から記録媒体上に転写された現像剤像を、記録媒体に定着するように構成される定着ユニットとをさらに備えていてもよい。
【００３９】
しかるに、露光装置が、筐体に装着されたプロセスカートリッジに対して、水平方向の一方に配置され、画像形成動作時において、記録媒体が第１方向から見て略Ｃ字状に搬送される画像形成装置では、分離ローラと、感光体と、定着ユニットとが、鉛直方向に並ぶように配置される。そのため、そのような画像形成装置では、鉛直方向の小型化を図るには限度がある。
【００４０】
一方、上記の構成によれば、分離ローラが、プロセスカートリッジよりも水平方向の一方に配置され、定着ユニットが、プロセスカートリッジよりも水平方向の他方に配置されている。つまり、分離ローラと、プロセスカートリッジと、定着ユニットとが、水平方向に並ぶように配置されている。そのため、画像形成装置の鉛直方向の小型化を図ることができる。
（１５）画像形成装置は、取手および揺動軸を備える取手ユニットを備え、取手は、揺動軸を支点として揺動するように構成されていてもよい。
【００４１】
このような構成によれば、取手が揺動軸を支点として揺動するので、取手の操作性の向上を図ることができる。
（１６）画像形成装置は、感光体を帯電するように構成される帯電器をさらに備え、感光体は、第１方向に延び、回転可能に構成される感光ドラムであってもよい。この場合、帯電器は、感光ドラムの回転軸線を通る鉛直面に対して、露光装置側に配置されている。
【００４２】
このような構成によれば、帯電器が鉛直面に対して露光装置側に配置されているので、帯電器の効率的な配置を確保することができる。
（１７）本発明の画像形成装置は、筐体と、第１方向に延びる感光体と、現像剤を収容し、筐体に対して着脱可能な現像カートリッジであって、取手を備える現像カートリッジと、感光体を露光するように構成される露光装置であって、現像カートリッジが筺体に装着しているときに、第１方向と直交しかつ水平である水平方向から見て、少なくとも一部が、現像カートリッジと重なるように配置される露光装置とを備えている。取手は、現像カートリッジが筐体に装着されているときに、第１方向および水平方向の両方向と交差する鉛直方向において露光装置と重なるように、露光装置の上方に配置されている。
【００４３】
このような構成によれば、取手が、現像カートリッジが筐体に装着されているときに、鉛直方向において露光装置と重なるように、露光装置の上方に配置されているので、水平方向において、現像カートリッジと露光装置との間のスペースを低減しても、ユーザは、取手を確実に把持することができ、現像カートリッジを筐体から円滑に離脱させることができる。
【００４４】
つまり、現像カートリッジを筐体から円滑に離脱することができながら、画像形成装置の水平方向の小型化を図ることができる。
【発明の効果】
【００４５】
本発明の画像形成装置によれば、水平方向における小型化を図ることができる。
【図面の簡単な説明】
【００４６】
【図１】図１は、本発明の画像形成装置の第１実施形態としてのプリンタを示す中央断面図であって、プロセスカートリッジが内部位置にある状態を示す。
【図２】図２は、図１に示すプリンタの中央断面図であって、現像カートリッジがドラムカートリッジから離脱された状態を示す。
【図３】図３は、図１に示すプリンタの中央断面図であって、プロセスカートリッジが外部位置にある状態を示す。
【図４】図４は、図１に示すプロセスカートリッジの平面図を示す。
【図５】図５Ａは、図４に示すドラムカートリッジの左側面図である。図５Ｂは、図５Ａに示すドラムカートリッジの中央断面図である。
【図６】図６Ａは、図４に示す現像カートリッジの左側面図である。図６Ｂは、図６Ａに示す現像カートリッジの中央断面図である。
【図７】図７は、本発明の画像形成装置の第２実施形態に係るプロセスカートリッジの平面図を示す。
【図８】図８は、本発明の画像形成装置の第３実施形態のプリンタの中央断面図を示す。
【図９】図９は、本発明の画像形成装置の第４実施形態のプリンタの中央断面図を示す。
【図１０】図１０は、本発明の画像形成装置の第５実施形態のプリンタの中央断面図を示す。
【発明を実施するための形態】
【００４７】
１．プリンタの全体構成
図１に示すように、画像形成装置の一例としてのプリンタ１は、電子写真方式のモノクロプリンタである。プリンタ１は、筐体の一例としての本体ケーシング２と、給紙部３と、画像形成部４と、排紙部５と、搬送ガイド部６と、画像読取部の一例としてのフラットベットスキャナ７とを備えている。
【００４８】
なお、以下の説明において、方向について言及する場合には、プリンタ１を水平に載置した状態を基準として、図１における紙面右方を前方とし、図１における紙面左方を後方とする。また、プリンタ１を前方から見たときを左右の基準とし、図１の紙面手前を左方とし、図１の紙面奥を右方とする。さらに、後述するプロセスカートリッジ１５に関しても、本体ケーシング２に対する装着状態を基準として前後左右上下を規定する。具体的には、各図において方向を矢印にて示す。
【００４９】
なお、左右方向が第１方向の一例であり、左方が第１方向の一方、右方が第１方向の他方である。また、前後方向が水平方向の一例であり、前方が水平方向の一方、後方が水平方向の他方である。また、上下方向は、鉛直方向と同一方向である。
【００５０】
本体ケーシング２は、略ボックス形状を有している。本体ケーシング２は、本体開口１０と、カバーの一例としてのトップカバー１１とを有している。
【００５１】
本体開口１０は、本体ケーシング２の内外を上下方向に連通している。
【００５２】
トップカバー１１は、図３に示すように、本体開口１０を閉鎖する閉鎖位置と、本体開口１０を開放する開放位置との間を揺動可能である。また、トップカバー１１は、用紙Ｐを載置する排紙トレイ１２として機能する。
【００５３】
また、本体ケーシング２は、その内部空間に、給紙部３、画像形成部４、排紙部５および搬送ガイド部６を収容しており、フラットベットスキャナ７を下方から支持している。
【００５４】
給紙部３は、用紙Ｐを画像形成部４に供給するように構成されている。給紙部３は、本体ケーシング２内の下端部に配置されている。給紙部３は、給紙カセット９と、分離ローラの一例としての給紙ローラ８とを備えている。
【００５５】
給紙カセット９は、上方に向かって開放される略ボックス形状を有しており、記録媒体の一例としての用紙Ｐを複数枚収容するように構成されている。給紙カセット９は、本体ケーシング２内の下端部に配置されており、本体ケーシング２に対して着脱可能である。
【００５６】
給紙ローラ８は、左右方向に延びる略円柱形状である。給紙ローラ８は、給紙カセット９の前端部に対して上方に配置されている。
【００５７】
画像形成部４は、用紙Ｐに画像を形成するように構成されている。画像形成部４は、本体ケーシング２内において給紙部３の上方に配置されている。画像形成部４は、プロセスカートリッジ１５と、露光装置の一例としてのスキャナユニット１６と、定着ユニット１７とを備えている。
【００５８】
プロセスカートリッジ１５は、本体ケーシング２に装着される内部位置と、図３に示すように、本体開口１０を介して、本体ケーシング２から離脱される外部位置とに移動可能である。つまり、プロセスカートリッジ１５は、本体開口１０を介して、本体ケーシング２に着脱可能である。
【００５９】
プロセスカートリッジ１５は、図１に示すように、内部位置において、本体ケーシング２内の側面視略中央に配置され、給紙カセット９の前後方向の略中央部分に対して上方、かつ、給紙ローラ８に対して後方に配置されている。つまり、給紙カセット９は、プロセスカートリッジ１５よりも下方に配置され、給紙ローラ８は、プロセスカートリッジ１５よりも前方に配置されている。
【００６０】
プロセスカートリッジ１５は、感光体カートリッジの一例としてのドラムカートリッジ１８と、現像カートリッジ１９とを備えている。
【００６１】
ドラムカートリッジ１８は、感光体の一例としての感光ドラム２０と、転写ローラ２１と、帯電器の一例としてのスコロトロン型帯電器２２とを備えている。
【００６２】
感光ドラム２０は、左右方向延びる略円筒形状を有している。感光ドラム２０は、ドラムカートリッジ１８の後端部に配置されている。転写ローラ２１は、感光ドラム２０に対して後下方に配置されている。転写ローラ２１の前上端部は、感光ドラム２０の後下端部と接触している。スコロトロン型帯電器２２は、感光ドラム２０に対して前上方に間隔を空けて配置されている。
【００６３】
現像カートリッジ１９は、ドラムカートリッジ１８に対して着脱可能であり、感光ドラム２０の前方において、ドラムカートリッジ１８に装着されている。現像カートリッジ１９は、現像ローラ２６と、供給ローラ２７と、層厚規制ブレード２８と、アジテータ２９とを備えており、かつ、現像剤の一例としてのトナーを収容している。
【００６４】
現像ローラ２６は、現像カートリッジ１９の後端部に配置されている。現像ローラ２６の上方部分および後方部分は、現像カートリッジ１９から露出しており、現像ローラ２６の後上端部は、感光ドラム２０の前下端部と接触している。
【００６５】
供給ローラ２７は、現像ローラ２６に対して前下方に配置されている。また、供給ローラ２７の後上端部は、現像ローラ２６の前下端部に接触している。
【００６６】
層厚規制ブレード２８は、左右方向に延びる背面視略矩形の板状を有している。層厚規制ブレード２８は、現像ローラ２６に対して前上方に配置されている。層厚規制ブレード２８の下端部は、現像ローラ２６の前端部に接触している。
【００６７】
アジテータ２９は、供給ローラ２７の前上方に配置されている。
【００６８】
スキャナユニット１６は、感光ドラム２０に対して前方に間隔を空けて配置され、かつ、給紙ローラ８に対して上方に間隔を空けて配置されている。より詳しくは、スキャナユニット１６は、その下方部分が、前後方向から見て、内部位置にあるプロセスカートリッジ１５および定着ユニット１７と重なるように配置され、上下方向から見て、給紙ローラ８と重なるように配置されている。
【００６９】
スキャナユニット１６は、感光ドラム２０を露光するように構成されており、図１に実線で示すように、感光ドラム２０に向けて画像データに基づく、レーザ光の一例としてのレーザービームＬを出射するように構成されている。
【００７０】
定着ユニット１７は、プロセスカートリッジ１５よりも後方に間隔を空けて配置されている。定着ユニット１７は、加熱ローラ３０と、加圧ローラ３１とを備えている。
【００７１】
加圧ローラ３１は、加熱ローラ３０に対して後下方に配置されている。そして、加圧ローラ３１の前上端部は、加熱ローラ３０の後下端部と圧接している。
【００７２】
排紙部５は、画像形成部４により画像が形成された用紙Ｐを、排紙トレイ１２に排出するように構成されている。排紙部５は、１対の排紙ローラ３４を備えている。
【００７３】
１対の排紙ローラ３４は、定着ユニット１７に対して前上方に間隔を空けて配置されている。１対の排紙ローラ３４のそれぞれは、前上方と後下方とを結ぶ方向において、互いに接触している。
【００７４】
搬送ガイド部６は、本体ケーシング２内における用紙Ｐの搬送をガイドするように構成されている。搬送ガイド部６は、第１搬送ガイド６Ａと、第２搬送ガイド６Ｂとを有している。
【００７５】
第１搬送ガイド６Ａは、給紙カセット９から給紙ローラ８により送り出された後、感光ドラム２０と転写ローラ２１との接触点Ｎを経て、１対の排紙ローラ３４まで到達するように、用紙Ｐの搬送をガイドするように構成されている。このような第１搬送ガイド６Ａは、側面視略Ｓ字状の搬送パスＴ１を画定している。
【００７６】
第２搬送ガイド６Ｂは、一方面に画像が形成された用紙Ｐを、排紙ローラ３４から、第１搬送ガイド６Ａにおける接触点Ｎよりも上流の部分まで到達するように、用紙Ｐの搬送をガイドするように構成されている。
【００７７】
詳しくは、第２搬送ガイド６Ｂは、第１搬送ガイド６Ａにおける定着ユニット１７と排紙ローラ３４との間から連続して、給紙カセット９とプロセスカートリッジ１５との間を通過するように、側面視略Ｌ字状に延びた後、上方に向かって湾曲して、第１搬送ガイド６Ａにおける給紙ローラ８と接触点Ｎとの間に接続されている。このような第２搬送ガイド６Ｂは、上方に向かって開放される側面視略Ｃ字状の再搬送パスＴ２を画定している。
【００７８】
フラットベットスキャナ７は、本体ケーシング２よりも上方に配置され、トップカバー１１に対して上方に間隔を空けて向かい合っている。また、フラットベットスキャナ７は、軸部４４と、押えカバー４１と、ガラス面４２と、ＣＣＤセンサ４３とを備えている。
【００７９】
軸部４４は、フラットベットスキャナ７の後下端部に備えられている。軸部４４は、左右方向に延びる略円柱形状を有しており、本体ケーシング２の後上端部に回転可能に支持されている。これによって、フラットベットスキャナ７は、軸部４４を支点として、本体ケーシング２に対して揺動するように構成されている。
【００８０】
また、フラットベットスキャナ７は、押えカバー４１とガラス面４２との間に原稿が配置された状態において後、ＣＣＤセンサ４３により、原稿の画像情報を読み取るように構成されている。
２．本体ケーシングの詳細
本体ケーシング２は、図３に示すように、１対の側壁４６と、後壁４７と、底壁４９と、前壁４８と、上壁５０とを一体に有している。また、本体ケーシング２は、モータ（図示せず）と、カップリング（図示せず）と、トップカバー１１とを備えている。
【００８１】
１対の側壁４６は、本体ケーシング２の左右両端部であって、左右方向に互いに間隔を空けて配置されている。１対の側壁４６のそれぞれは、側面視略Ｌ字の板状を有している。詳しくは、側壁４６の後方部分４６Ａは、上下方向に延びる側面視略矩形状を有している。側壁４６の前方部分４６Ｂは、前後方向に延びる側面視略矩形状を有しており、後方部分４６Ａの前端縁の下方部分から、前方に向かって延びている。
【００８２】
また、１対の側壁４６のそれぞれは、溝部５３を有している。
【００８３】
溝部５３は、左右方向から見て一致するように、１対の側壁４６のそれぞれの前方部分４６Ｂの左右方向内面に配置されている。
【００８４】
溝部５３は、側壁４６の前方部分４６Ｂの左右方向内面から左右方向の外方に向かって凹んでおり、前方部分４６Ｂの上端縁の後方部分から、後下方に向かって延びている。詳しくは、溝部５３は、幅広部５７と、第１ガイド部の一例としての幅狭部５８とを有している。
【００８５】
幅広部５７は、溝部５３の上方部分であって、後下方に向かうにつれて幅狭となる。幅狭部５８は、溝部５３の下方部分であって、幅広部５７の後下端部から連続して、後下方に向かって延びている。幅狭部５８の溝幅は、一定である。幅狭部５８の後下端縁は、前上方に向かって開放される側面視略半円弧形状を有している。
【００８６】
本体カップリングは、左方の溝部５３の幅狭部５８の下端部に配置されている。本体カップリングは、公知の連動機構により、トップカバー１１の開閉動作に連動して、左右方向に沿って移動するように構成されている。本体カップリングは、トップカバー１１が開放位置にある状態において、側壁４６の右面よりも左方に位置するように退避し、トップカバー１１が閉鎖位置にある状態において、側壁４６の右面よりも右方に位置するように進出する。また、本体カップリングは、モータからの駆動力が伝達されるように構成されており、駆動力が伝達されると、左側面視時計回り方向に回転する。
【００８７】
後壁４７は、本体ケーシング２の後端部であって、左右方向に延びる背面視略矩形の板状を有している。後壁４７の左右両端部のそれぞれは、１対の側壁４６の後端部のそれぞれに連続している。
【００８８】
底壁４９は、本体ケーシング２の下端部であって、底面視略矩形の板状を有している。底壁４９の左右両端部のそれぞれは、１対の側壁４６の下端部のそれぞれに連続しており、底壁４９の後端部は、後壁４７の下端部に連続している。
【００８９】
前壁４８は、本体ケーシング２の前端部であって、左右方向に延びる正面視略矩形の板状を有している。前壁４８の左右両端部のそれぞれは、１対の側壁４６の前端部のそれぞれに連続している。
【００９０】
上壁５０は、本体ケーシング２の上端部であって、第１壁部６５と、第２壁部６６と、第３壁部６７とを備えている。
【００９１】
第１壁部６５は、上壁５０の前方部分であって、スキャナユニット１６を被覆するように、スキャナユニット１６に対して上方に配置されている。第１壁部６５は、前壁４８の上端部から連続して後方に向かって延び、かつ、左右方向に延びている。第１壁部６５の左右両端部は、１対の側壁４６の前上端部に接続されている。
【００９２】
詳しくは、第１壁部６５は、湾曲壁６９と、傾斜壁７０とを一体に有している。
【００９３】
湾曲壁６９は、第１壁部６５の前方部分であって、前壁４８の上端部から連続して、上方に向かうにつれて後方に湾曲するように延びている。
【００９４】
傾斜壁７０は、第１壁部６５の後方部分であって、第１傾斜部７０Ａと、第２傾斜部７０Ｂとを一体に有している。
【００９５】
第１傾斜部７０Ａは、湾曲壁６９の上端部から連続して、後方に向かうにつれて下方に傾斜するように延びている。第２傾斜部７０Ｂは、第１傾斜部７０Ａよりも下向きの傾斜が大きくなるように、第１傾斜部７０Ａの後端部から屈曲して、後方に向かうにつれて下方に傾斜するように延びている。
【００９６】
第２壁部６６は、上壁５０の後方部分であって、排紙部５の上方に配置されている。第２壁部６６は、第１壁部６５よりも上方に位置しており、後壁４７の上端部から連続して前方に向かって延び、かつ、左右方向に延びている。また、第２壁部６６の左右両端部は、１対の側壁４６の後方部分４６Ａの上端部に接続されている。
【００９７】
そして、第２壁部６６は、図１に示すように、フラットベットスキャナ７の後方部分に対して下方から接触しており、フラットベットスキャナ７を支持している。また、第２壁部６６と後壁４７との連続部分は、フラットベットスキャナ７の軸部４４を回転可能に支持している。
【００９８】
第３壁部６７は、第２壁部６６の前端部から屈曲して、下方に向かって延び、かつ、左右方向に延びている。第３壁部６７の左右両端部は、１対の側壁４６の後方部分４６Ａの前端部における上方部分に接続されている。また、第３壁部６７は、排紙口６８を有している。
【００９９】
排紙口６８は、第３壁部６７の上端部に配置され、１対の排紙ローラ３４の前方に配置されている。排紙口６８は、用紙Ｐの通過を許容する形状およびサイズを有しており、第３壁部６７の上端部を前後方向に貫通している。
【０１００】
そして、傾斜壁７０の後端部、第３壁部６７の下端部、および、傾斜壁７０と第３壁部６７との間に位置する側壁４６の前方部分４６Ｂは、本体開口１０を画定している。つまり、本体開口１０は、スキャナユニット１６に対して後方に配置され、本体ケーシング２に装着された状態のプロセスカートリッジ１５に対して上方に配置されている。本体開口１０は、平面視略矩形状を有しており、本体ケーシング２の内部空間と、本体ケーシング２の外部とを上下方向に連通している。
【０１０１】
また、上壁５０は、上記したように、本体開口１０を開閉するためのトップカバー１１を支持している。
【０１０２】
トップカバー１１は、回動軸７８と、カバー本体７９とを有している。
【０１０３】
回動軸７８は、左右方向に延びる略円柱形状を有しており、第３壁部６７の下端部すなわち本体開口１０の後方周縁に回転可能に支持されている。そのため、回動軸７８は、内部位置にあるプロセスカートリッジ１５に対して、後上方に配置されている。詳しくは、回動軸７８は、前後方向において、スコロトロン型帯電器２２と定着ユニット１７との間に配置されている。
【０１０４】
カバー本体７９は、平面視略矩形の板状を有している。
【０１０５】
そして、トップカバー１１は、本体開口１０を閉鎖する閉鎖位置と、図３に示すように、本体開口１０を開放する開放位置との間を、回動軸７８を支点として揺動可能である。
【０１０６】
図１に示すように、トップカバー１１が閉鎖位置にある状態において、カバー本体７９は、回動軸７８から前上方に向かって延びた後、湾曲して前方に向かって延びており、カバー本体７９の前端部は、湾曲壁６９の後端部と第１傾斜部７０Ａとの接続部分の上方に配置される。これによって、カバー本体７９は、本体ケーシング２に装着されるプロセスカートリッジ１５に対して、上方に配置される。また、回動軸７８は、トップカバー１１の最下端部に配置されている。
【０１０７】
一方、図３に示すように、トップカバー１１が開放位置にある状態において、カバー本体７９は、回動軸７８から前上方に向かって延びた後、上方への傾斜が小さくなるように湾曲して前上方に向かって延びており、カバー本体７９の前端部は、傾斜壁７０に対して上方に、プロセスカートリッジ１５が通過可能なスペースを空けて配置される。
３．プロセスカートリッジの詳細
プロセスカートリッジ１５は、上記したように、ドラムカートリッジ１８と、現像カートリッジ１９とを備えている。
（１）ドラムカートリッジ
ドラムカートリッジ１８は、図５Ａおよび図５Ｂに示すように、ドラムフレーム２３と、取手ユニットの一例としてのドラムハンドル８６とを備えている。
【０１０８】
ドラムフレーム２３は、上方に向かって開放される略ボックス形状を有し、１対のドラム側壁８７と、ドラム底壁８８と、ドラム前壁９３と、転写収容壁８９と、帯電支持壁９４とを一体に有している。
【０１０９】
１対のドラム側壁８７は、ドラムフレーム２３の左右両端部であって、左右方向に互いに間隔を空けて向かい合っている。１対のドラム側壁８７のそれぞれは、前後方向に延びる側面視略矩形の板状を有している。１対のドラム側壁８７のそれぞれは、受入溝９０と、貫通穴９１と、カラー部９２とを有している。
【０１１０】
受入溝９０は、ドラム側壁８７の左右方向の内方面に配置されている。受入溝９０は、ドラム側壁８７の左右方向の内方面から左右方向の外方に向かって凹んでおり、ドラム側壁８７の上端縁から、後下方に向かって延びている。詳しくは、受入溝９０は、さそい部９０Ａと、途中部９０Ｂと、最深部９０Ｃとを有している。
【０１１１】
さそい部９０Ａは、受入溝９０の上方部分であって、ドラム側壁８７の上端縁の前後方向略中央から後下方に向かって延びている。さそい部９０Ａは、後下方に向かうにつれて幅狭となる。
【０１１２】
途中部９０Ｂは、さそい部９０Ａの下端部から連続して、後方に向かって延びている。
【０１１３】
最深部９０Ｃは、途中部９０Ｂの後端部から連続して、後上方に向かって屈曲している。最深部９０Ｃの後端縁は、前下方に向かって開放される側面視略半円弧形状を有している。
【０１１４】
貫通穴９１は、図５Ａに示すように、ドラム側壁８７の後端部において、受入溝９０の最深部９０Ｃに対して、後上方に間隔を空けて配置されている。貫通穴９１は、側面視略円形状を有しており、ドラム側壁８７を左右方向に貫通している。
【０１１５】
カラー部９２は、２つの溝部５３のそれぞれに対応して、１対のドラム側壁８７のそれぞれの左右方向の外方面に１つずつ配置されている。カラー部９２は、左右方向に延びる略円筒形状を有しており、ドラム側壁８７における貫通穴９１の周縁から左右方向の外方に向かって突出している。カラー部９２の外径は、幅狭部５８の溝幅と略同じである。
【０１１６】
ドラム底壁８８は、図５Ｂに示すように、１対のドラム側壁８７の下端部における前方部分間に架設されている。ドラム底壁８８は、左右方向に延びる底面視略矩形の板状を有している。また、ドラム底壁８８は、１対の突出部９６を有している。
【０１１７】
１対の突出部９６は、図４および図５Ｂに示すように、ドラム底壁８８の上面における前後方向略中央部分において、左右方向に互いに間隔を空けて配置されている。突出部９６は、図５Ｂに示すように、側面視略三角形状を有しており、ドラム底壁８８から上方に向かって突出している。
【０１１８】
ドラム前壁９３は、１対のドラム側壁８７の前端部間に架設されており、ドラム前壁９３の下端部は、ドラム底壁８８の前端部に接続されている。ドラム前壁９３は、左右方向に延びる正面視略矩形の板状を有している。また、ドラム前壁９３は、開口の一例としての貫通口９７を有している。
【０１１９】
貫通口９７は、ドラム前壁９３の上端部に配置されており、ドラム前壁９３を前後方向に貫通している。貫通口９７は、スキャナユニット１６からのレーザービームＬの通過を許容する形状およびサイズを有している。
【０１２０】
転写収容壁８９は、ドラムフレーム２３の後下端部に配置されており、ドラム底壁８８に対して後方に間隔を空けて配置されている。転写収容壁８９は、上方に向かって開放される側面視略Ｕ字状を有しており、左右方向に延びている。転写収容壁８９の左右両端部は、１対のドラム側壁８７の後下端部に連続している。
【０１２１】
帯電支持壁９４は、ドラムフレーム２３の後上端部に配置されており、転写収容壁８９に対して上方に間隔を空けて配置されている。帯電支持壁９４は、左右方向に延びており、帯電支持壁９４の左右両端部は、１対のドラム側壁８７の後上端部に連続している。また、帯電支持壁９４は、本体部９４Ａと、被覆部９４Ｂとを一体に有している。
【０１２２】
本体部９４Ａは、後下方に向かって開放される凹形状を有している。本体部９４Ａは、穴部９５を有している。穴部９５は、本体部９４Ａの上壁に配置されている。穴部９５は、図４に示すように、左右方向に延びる平面視略矩形状を有しており、図５Ｂに示すように、本体部９４Ａの上壁を前上方および後下方を結ぶ方向に貫通している。
【０１２３】
被覆部９４Ｂは、左右方向に延びる背面視略矩形の板状を有しており、本体部９４Ａの後上端部から連続して、後下方に向かって延びた後、感光ドラム２０の周面に沿うように湾曲している。
【０１２４】
また、１対のドラム側壁８７の上端部、ドラム前壁９３の上端部および帯電支持壁９４の前端部は、着脱開口９９を画定している。着脱開口９９は、平面視略矩形状を有しており、現像カートリッジ１９の通過を許容可能なサイズを有している。
【０１２５】
また、１対のドラム側壁８７、ドラム底壁８８およびドラム前壁９３が、感光ドラム２０の前方において、現像フレーム２５を収容するための収容空間Ｓを画定している。収容空間Ｓは、着脱開口９９を介して、上下方向に連通している。
【０１２６】
また、ドラムフレーム２３は、感光ドラム２０、転写ローラ２１およびスコロトロン型帯電器２２を支持している。
【０１２７】
感光ドラム２０は、１対のドラム側壁８７の後端部間に配置されており、転写収容壁８９の前上方かつ帯電支持壁９４の後下方に配置されている。感光ドラム２０は、ドラム本体１００と、１対のフランジ部１０１とを備えている。
【０１２８】
ドラム本体１００は、左右方向に延びる略円筒状の金属からなる素管と、素管の周面を被覆する感光層とを有している。
【０１２９】
１対のフランジ部１０１のそれぞれは、ドラム本体１００の左右両端部のそれぞれに嵌っている。フランジ部１０１は、図５Ａおよび図５Ｂに示すように、嵌合部１０２と、挿通部１０３とを一体に有している。
【０１３０】
嵌合部１０２は、フランジ部１０１の左右方向の内方部分である。嵌合部１０２は、左右方向に延びる略円筒形状を有しており、嵌合部１０２の左右方向の外方端面は、閉鎖されている。嵌合部１０２の外径は、ドラム本体１００の内径と略同じである。そして、嵌合部１０２は、ドラム本体１００の左右方向端部に、相対回転不能に嵌っている。
【０１３１】
挿通部１０３は、フランジ部１０１の左右方向の外方部分である。挿通部１０３は、嵌合部１０２と中心軸線を共有する略円筒形状を有しており、嵌合部１０２の左右方向の外方端面から左右方向の外方に突出している。挿通部１０３の外径は、嵌合部１０２の外径よりも小さく、貫通穴９１の内径と略同じである。
【０１３２】
また、１対のフランジ部１０１のうち、左方のフランジ部１０１の挿通部１０３は、図５Ａに示すように、本体カップリングの右端部が挿入可能であり、１対の係合突部１０４を一体に有している。１対の係合突部１０４は、挿通部１０３の内周面において、挿通部１０３の周方向に１８０°の間隔を空けて配置されている。係合突部１０４は、側面視略矩形状を有しており、挿通部１０３の内周面から、挿通部１０３の径方向内方に向かって突出している。
【０１３３】
そして、感光ドラム２０は、１対のフランジ部１０１のそれぞれの挿通部１０３が、対応する貫通穴９１およびカラー部９２に挿入されることにより、ドラム本体１００の中心軸線Ａを回転軸線として回転可能にドラムフレーム２３に支持されている。
【０１３４】
転写ローラ２１は、図５Ｂに示すように、転写収容壁８９内に配置されている。転写ローラ２１は、左右方向に延びる略円柱形状を有している。転写ローラ２１は、その左右両端部が１対のドラム側壁８７に支持されることによって、ドラムフレーム２３に回転可能に支持されている。転写ローラ２１の前上端部は、感光ドラム２０のドラム本体１００の後下端部と接触している。
【０１３５】
スコロトロン型帯電器２２は、帯電支持壁９４に支持されている。スコロトロン型帯電器２２は、放電ワイヤ２２Ａと、グリッド電極２２Ｂとを備えている。
【０１３６】
放電ワイヤ２２Ａは、本体部９４Ａの側面視略中央において、左右方向に延びるように張設され、感光ドラム２０の前上方に間隔を空けて配置されている。グリッド電極２２Ｂは、前上方に向かって開放される側面視略コ字状を有し、放電ワイヤ２２Ａを後下方から囲うように、本体部９４Ａ内に配置されている。これによって、グリッド電極２２Ｂの後下端部は、放電ワイヤ２２Ａとドラム本体１００との間に配置されている。
【０１３７】
ドラムハンドル８６は、ドラムカートリッジ１８の前端部に配置されている。ドラムハンドル８６は、１対の揺動軸１１５と、ドラムハンドル本体１１６とを有している。
【０１３８】
１対の揺動軸１１５は、左右方向に間隔を空けて配置されている。揺動軸１１５は、左右方向に延びる略円柱形状を有している。そして、揺動軸１１５の左右方向の内方部分がドラム側壁８７の前上端部に相対回転不能に支持されている。これによって、揺動軸１１５の左右方向の外方部分は、ドラム側壁８７よりも左右方向の外方に突出している。
【０１３９】
ドラムハンドル本体１１６は、図４に示すように、後方に向かって開放される平面視略Ｕ字状を有しており、１対の筒部１１８と、１対の連結部１１９と、取手および感光側取手の一例としてのドラム把持部１２０とを一体に有している。
【０１４０】
１対の筒部１１８は、図５Ａに示すように、１対の揺動軸１１５のそれぞれに対応して、左右方向に間隔を空けて配置されている。１対の筒部１１８のそれぞれは、左右方向に延びる略円筒形状を有している。筒部１１８の内径は、揺動軸１１５の外径と略同じである。
【０１４１】
１対の連結部１１９のそれぞれは、前上方および後下方を結ぶ方向に延びる略杆状を有しており、対応する筒部１１８から連続して前上方に向かって延びている。
【０１４２】
ドラム把持部１２０は、図４に示すように、１対の連結部１１９の前端部間に架設されている。ドラム把持部１２０は、左右方向に延びる平面視略矩形の板状を有している。
【０１４３】
そして、ドラムハンドル８６は、図４および図５Ａに示すように、１対の筒部１１８のそれぞれが揺動軸１１５の左右方向の外方部分を相対回転可能に受け入れることにより、ドラムフレーム２３に支持されている。これによって、ドラム把持部１２０は、揺動軸１１５を支点として揺動可能である。
（２）現像カートリッジ
現像カートリッジ１９は、図６Ａおよび図６Ｂに示すように、現像フレーム２５と、取手ユニットの一例としての現像ハンドル１２５とを備えている。
【０１４４】
現像フレーム２５は、１対の現像側壁１２６と、トナー収容部１２７と、ブレード支持部１２８と、現像底壁１２９とを一体に有している。
【０１４５】
１対の現像側壁１２６は、現像フレーム２５の左右両端部であって、左右方向に互いに間隔を空けて向かい合っている。１対の現像側壁１２６のそれぞれは、図６Ａに示すように、前後方向に延びる側面視略矩形の板状を有している。
【０１４６】
トナー収容部１２７は、図６Ｂに示すように、１対の現像側壁１２６の前方部分間に配置されている。トナー収容部１２７は、左右方向に延びる略角筒状を有しており、トナー収容部１２７の底壁１２７Ａは、下方に向かって膨出する側面視略湾形状を有している。そして、トナー収容部１２７の左右両端部は、1対の現像側壁１２６の前方部分により閉鎖されている。また、トナー収容部１２７は、その内部にトナーを収容している。
【０１４７】
また、トナー収容部１２７は、連通口１３０を有している。連通口１３０は、トナー収容部１２７の前壁の下端部に配置されており、トナー収容部１２７の前壁を前後方向に貫通している。
【０１４８】
ブレード支持部１２８は、トナー収容部１２７の前壁の前面における上方部分に配置されている。ブレード支持部１２８は、側面視略矩形状を有しており、トナー収容部１２７から前方に向かって突出している。
【０１４９】
現像底壁１２９は、トナー収容部１２７における連通口１３０の下方周縁から後方に延びている。また、現像底壁１２９は、左右方向に延びており、現像底壁１２９の左右両端部は、1対の現像側壁１２６の後方部分における下端部に接続されている。
【０１５０】
詳しくは、現像底壁１２９は、円弧部１２９Ａと、リップ部１２９Ｂとを有している。
【０１５１】
円弧部１２９Ａは、現像底壁１２９の前方部分であって、供給ローラ２７の周面に沿い、上方に向かって開放される側面視略半円弧形状を有している。円弧部１２９Ａの前端部は、トナー収容部１２７の底壁１２７Ａの後端部に接続されている。
【０１５２】
そして、円弧部１２９Ａの下面の前方部分と、トナー収容部１２７の底壁１２７Ａの下面の後端部とは、凹部１３１を画定している。凹部１３１は、側面視略三角形状を有しており、現像フレーム２５の下面から上方に向かって凹んでいる。
【０１５３】
リップ部１２９Ｂは、現像底壁１２９の後方部分であって、現像ローラ２６の周面に沿い、前上方に向かって開放される側面視略円弧形状を有している。リップ部１２９Ｂの前端部は、円弧部１２９Ａの後端部に接続されている。
【０１５４】
また、現像フレーム２５は、現像ローラ２６、供給ローラ２７、層厚規制ブレード２８およびアジテータ２９を支持している。
【０１５５】
現像ローラ２６は、リップ部１２９Ｂの上方に間隔を空けて配置されている。現像ローラ２６は、図６Ａおよび図６Ｂに示すように、ローラ軸１３４と、ローラ本体１３３と、１対のコロ１３５とを備えている。
【０１５６】
ローラ軸１３４は、左右方向に延びる略円柱形状を有している。ローラ軸１３４の左右方向の寸法は、現像フレーム２５の左右方向の寸法よりも大きい。そして、ローラ軸１３４の左右両端部は、１対の現像側壁１２６に回転可能に支持されている。これによって、現像ローラ２６は、現像フレーム２５に回転可能に支持されている。また、ローラ軸１３４の左右両端部のそれぞれは、対応する現像側壁１２６から、左右方向の外方に向かって突出している。
【０１５７】
ローラ本体１３３は、左右方向に延びる略円筒形状を有している。ローラ本体１３３の左右方向の寸法は、ローラ軸１３４の左右方向の寸法よりも小さい。そして、ローラ本体１３３は、１対の現像側壁１２６の後端部間に配置されるように、ローラ軸１３４を被覆している。
【０１５８】
１対のコロ１３５は、ローラ軸１３４の左右両端部のそれぞれに１つずつ対応しており、現像側壁１２６に対して左右方向の外方に配置されている。コロ１３５は、左右方向に延びる略円筒形状を有している。コロ１３５の内径は、ローラ軸１３４の外径と略同じであり、コロ１３５の外径は、受入溝９０の途中部９０Ｂおよび最深部９０Ｃの溝幅と略同じである。そして、コロ１３５は、現像側壁１２６よりも左右方向の外方において、ローラ軸１３４の左右方向端部に、相対回転可能に嵌っている。
【０１５９】
供給ローラ２７は、図６Ｂに示すように、現像ローラ２６の前下方において、円弧部１２９Ａ内に配置されている。供給ローラ２７は、左右方向に延びる略円柱形状を有している。そして、供給ローラ２７は、その左右両端部が１対の現像側壁１２６に回転可能に支持されることによって、現像フレーム２５に支持されている。
【０１６０】
層厚規制ブレード２８は、ブレード支持部１２８の後面に固定されている。そして、層厚規制ブレード２８の下端部は、ローラ本体１３３の前端部に接触している。
【０１６１】
アジテータ２９は、トナー収容部１２７内に配置されている。アジテータ２９は、アジテータ軸１３６と、撹拌羽根１３７とを備えている。
【０１６２】
アジテータ軸１３６は、左右方向に延びる略円柱形状を有している。撹拌羽根１３７は、可撓性を有するフィルム材料からなり、アジテータ軸１３６の径方向の外方に延びている。
【０１６３】
そして、アジテータ２９は、アジテータ軸１３６の左右両端部が１対の現像側壁１２６に回転可能に支持されることによって、現像フレーム２５に支持されている。
【０１６４】
現像ハンドル１２５は、図６Ａおよび図６Ｂに示すように、現像カートリッジ１９の前端部に配置されている。現像ハンドル１２５は、１対の揺動軸１４０と、現像ハンドル本体１４１とを有している。
【０１６５】
１対の揺動軸１４０は、左右方向に間隔を空けて配置されている。揺動軸１４０は、左右方向に延びる略円柱形状を有している。そして、揺動軸１４０の左右方向の内方部分が現像側壁１２６の前上端部に相対回転不能に支持されている。これによって、揺動軸１４０の左右方向の外方部分は、現像側壁１２６よりも左右方向の外方に突出している。
【０１６６】
現像ハンドル本体１４１は、図４に示すように、後方に向かって開放される平面視略Ｕ字状を有している。現像ハンドル本体１４１の左右方向の寸法は、ドラムハンドル本体１１６の１対の連結部１１９の左右方向の間の間隔よりも小さい。現像ハンドル本体１４１は、図６Ａに示すように、１対の筒部１４２と、１対の連結部１４３と、取手および現像側取手の一例としての現像把持部１４４とを一体に有している。つまり、プロセスカートリッジ１５は、取手として、ドラム把持部１２０および現像把持部１４４を備えている。
【０１６７】
１対の筒部１４２は、１対の揺動軸１４０のそれぞれに対応して、左右方向に間隔を空けて配置されている。１対の筒部１４２のそれぞれは、左右方向に延びる略円筒形状を有している。筒部１４２の内径は、揺動軸１４０の外径と略同じである。
【０１６８】
１対の連結部１４３のそれぞれは、前上方および後下方を結ぶ方向に延びる略杆状を有しており、対応する筒部１４２から連続して前上方に向かって延びている。
【０１６９】
現像把持部１４４は、図４に示すように、１対の連結部１４３の上端部間に架設されている。現像把持部１４４は、左右方向に延びる平面視略矩形の板状を有している。
【０１７０】
そして、現像ハンドル１２５は、図６Ａに示すように、１対の筒部１４２のそれぞれが揺動軸１４０の左右方向の外方部分を回転可能に受け入れることにより、現像フレーム２５に支持されている。これにより、現像ハンドル１２５は、揺動軸１４０を支点として、揺動可能である。
【０１７１】
このような現像カートリッジ１９は、図１に示すように、ドラムカートリッジ１８の収容空間Ｓに離脱可能に装着されている。これにより、プロセスカートリッジ１５が構成されている。現像カートリッジ１９がドラムカートリッジ１８に装着された状態において、コロ１３５は、対応する受入溝９０の最深部９０Ｃに挿入されている。また、現像フレーム２５の凹部１３１は、１対の突出部９６を受け入れており、トナー収容部１２７の底壁１２７Ａは、突出部９６の前上面と接触している。
（３）プロセスカートリッジの本体ケーシングに対する装着状態
そして、プロセスカートリッジ１５が、本体ケーシング２に装着された状態つまり内部位置にある状態において、ドラムハンドル８６のドラム把持部１２０は、第１壁部６５の第１傾斜部７０Ａの上面における前方部分に配置され、現像ハンドル１２５の現像把持部１４４は、第１傾斜部７０Ａの上面における後方部分に配置されている。
【０１７２】
そのため、ドラム把持部１２０および現像把持部１４４は、上下方向においてスキャナユニット１６と重なるように、スキャナユニット１６の上方に配置されている。よって、ドラム把持部１２０および現像把持部１４４は、レーザービームＬの出射軌跡よりも上方に配置されている。
【０１７３】
また、ドラム把持部１２０および現像把持部１４４は、トップカバー１１のカバー本体７９の前方部分により上方から被覆されている。
【０１７４】
また、現像把持部１４４は、図４に示すように、ドラム把持部１２０に対して後方に並ぶように配置され、ドラムハンドル本体１１６に囲まれている。
【０１７５】
また、現像ハンドル１２５の１対の連結部１４３は、レーザービームＬの出射軌跡よりも左右方向の外方に位置しており、ドラムハンドル８６の１対の連結部１１９は、現像ハンドル１２５の１対の連結部１４３よりも左右方向の外方に位置している。
【０１７６】
また、現像カートリッジ１９は、図１に示すように、現像フレーム２５がレーザービームＬの出射軌跡よりも下方に位置するように配置されている。つまり、現像ローラ２６は、レーザービームＬの出射軌跡に対して下方に配置されている。
【０１７７】
なお、図示しないが、ドラムカートリッジ１８のカラー部９２は、対応する幅狭部５８の下端部に挿入されている。また、本体カップリングは、右方に向かって進出しており、左方のフランジ部１０１の挿通部１０３に挿入され、１対の係合突部１０４と係合している。
４．画像形成動作
（１）現像動作
このようなプリンタ１は、図示しない制御部の制御により、画像形成動作を開始する。画像形成動作が開始すると、スコロトロン型帯電器２２が、感光ドラム２０の表面を一様に帯電する。このとき、感光ドラム２０は、本体カップリング６０から、左方のフランジ部１０１を介して駆動力が入力されており、左側面視時計回り方向に回転している。
【０１７８】
その後、スキャナユニット１６が、感光ドラム２０の表面に向けてレーザービームＬを、後下方に向けて出射する。レーザービームＬは、ドラムカートリッジ１８の貫通口９７を通過した後、現像ハンドル１２５の１対の連結部１４３間を通過し、さらに、現像フレーム２５の上方を通過して、感光ドラム２０のドラム本体１００の前方周面を露光する。これにより、画像データに基づく静電潜像が、ドラム本体１００の周面に形成される。なお、画像データとしては、例えば、プリンタ１に接続される図示しないパーソナルコンピュータなどからプリンタ１に送信される画像データや、フラットベットスキャナ７により読み取られた画像データなどが挙げられる。
【０１７９】
また、アジテータ２９は、トナー収容部１２７内のトナーを撹拌し、連通口１３０を介して、撹拌されたトナーを供給ローラ２７に供給する。供給ローラ２７は、供給されたトナーを現像ローラ２６に供給する。このとき、現像ローラ２６と供給ローラ２７とは、それらの間でトナーを正極性に摩擦帯電する。これによって、トナーは、現像ローラ２６上に担持される。層厚規制ブレード２８は、現像ローラ２６上に担持されたトナーを一定厚さに規制する。
【０１８０】
そして、現像ローラ２６は、一定厚みとして担持するトナーを、ドラム本体１００の周面上の静電潜像に供給する。これにより、トナー像が、ドラム本体１００の周面上に担持される。
（２）給紙動作
給紙ローラ８は、回転することにより、給紙カセット９に収容される複数の用紙Ｐを、１枚ずつ分離して、順次、搬送ガイド部６の第１搬送ガイド６Ａに送り出す。すると、用紙Ｐは、第１搬送ガイド６Ａの上流部分にガイドされて、後下方に向かってＵターンするように搬送された後、ドラム本体１００と転写ローラ２１との接触点Ｎに給紙される。
（３）転写・定着動作
そして、ドラム本体１００の周面のトナー像は、用紙Ｐがドラム本体１００と転写ローラ２１との接触点Ｎを通過するときに、用紙Ｐに転写される。
【０１８１】
その後、用紙Ｐは、加熱ローラ３０と加圧ローラ３１との間を通過する。このとき、加熱ローラ３０および加圧ローラ３１は、用紙Ｐを加熱するとともに加圧し、トナー像を用紙Ｐに熱定着する。
【０１８２】
そして、トナー像が定着した用紙Ｐは、第１搬送ガイド６Ａの下流部分にガイドされて、前下方に向かってＵターンするように搬送され、１対の排紙ローラ３４間に到達する。１対の排紙ローラ３４は、正回転することにより、用紙Ｐを、排紙口６８を介して排紙トレイ１２に排出する。このように、給紙カセット９に収容される用紙Ｐは、第１搬送ガイド６Ａにより画定される側面視略Ｓ字状の搬送パスＴ１を搬送される。
（４）両面印刷動作
なお、用紙Ｐの両面に画像を形成する場合、１対の排紙ローラ３４は、逆回転することにより、一方面にトナー像が定着した用紙Ｐの搬送方向を反転させて、第２搬送ガイド６Ｂに向けて搬送する。すると、用紙Ｐは、第２搬送ガイド６Ｂにガイドされて、前方に向かってＵターンするように搬送され、プロセスカートリッジ１５と給紙カセット９との間を通過した後、第２搬送ガイド６Ｂから、再度、第１搬送ガイド６Ａにおける接触点Ｎよりも上流の部分に供給される。
【０１８３】
そして、用紙Ｐは、上記の画像形成動作と同様に、接触点Ｎを通過するときに、他方面にトナー像が転写され、加熱ローラ３０と加圧ローラ３１との間を通過するときに、トナー像が熱定着される。その後、１対の排紙ローラ３４が、正回転することにより、排紙トレイ１２に排紙される。
（５）放電ワイヤに対するガスの付着抑制
しかるに、定着ユニット１７では、上記の定着動作において、ガスが発生する場合がある。このようなガスが、スコロトロン型帯電器２２の放電ワイヤ２２Ａに接触し付着すると、放電ワイヤ２２Ａの放電不良が生じる場合がある。
【０１８４】
この点、第１実施形態では、帯電支持壁９４の被覆部９４Ｂが、スコロトロン型帯電器２２と定着ユニット１７との前後方向の間に配置されている。そのため、定着ユニット１７で生じたガスが、放電ワイヤ２２Ａに到達することを抑制している。
【０１８５】
また、本体部９４Ａの穴部９５は、前後方向において、定着ユニット１７と反対側である前上方に向かって開放されている。そのため、定着ユニット１７で生じたガスが、穴部９５を介して、放電ワイヤ２２Ａに供給されることが抑制されている。そのため、放電ワイヤ２２Ａの放電不良の低減を図ることができる。
【０１８６】
さらに、排紙トレイ１２の最下端部は、スコロトロン型帯電器２２と定着ユニット１７との間にあるため、定着ユニット１７から発生したガスが、放電ワイヤ２２Ａに供給されることを抑制することができる。
５．プロセスカートリッジの本体ケーシングに対する離脱動作および装着動作
次に、プロセスカートリッジ１５の本体ケーシング２に対する離脱動作および装着動作を説明する。
（１）プロセスカートリッジの本体ケーシングからの離脱動作
まず、プロセスカートリッジ１５の本体ケーシング２からの離脱動作、すなわち、プロセスカートリッジ１５の内部位置から外部位置への移動について説明する。
【０１８７】
ユーザは、図３に示すように、プリンタ１に対して前方から、つまり、スキャナユニット１６に対して、内部位置にあるプロセスカートリッジ１５の反対から、フラットベットスキャナ７を左側面視反時計回りに揺動させるとともに、トップカバー１１を閉鎖位置から開放位置に揺動させる。なお、トップカバー１１の閉鎖位置と開放位置との間の移動は、公知の連動機構により、フラットベットスキャナ７の揺動に連動させることもできる。
【０１８８】
これによって、カバー本体７９およびフラットベットスキャナ７のそれぞれの前端部と、第１壁部６５との間に、プロセスカートリッジ１５が通過可能なスペースが確保され、ドラム把持部１２０および現像把持部１４４が露出される。
【０１８９】
次いで、ユーザは、ドラム把持部１２０を把持して、前上方に向かって引き出す。
【０１９０】
すると、カラー部９２が、対応する溝部５３の幅狭部５８にガイドされた後、幅広部５７の下端縁にガイドされる。これにより、プロセスカートリッジ１５は、前上方に向かって引き出される。
【０１９１】
その後、プロセスカートリッジ１５は、カバー本体７９およびフラットベットスキャナ７のそれぞれの前端部と、第１壁部６５との間のスペースを、前上方に向かって通過して、本体ケーシング２から離脱される。つまり、プロセスカートリッジ１５は、スキャナユニット１６の上方において、フラットベットスキャナ７とスキャナユニット１６との間を通過し、本体ケーシング２から離脱される。
【０１９２】
このとき、プロセスカートリッジ１５の下端部、具体的には、ドラム底壁８８および転写収容壁８９は、第１壁部６５の第２傾斜部７０Ｂおよび第１傾斜部７０Ａのそれぞれと順次摺擦して、それらにガイドされる。
【０１９３】
これによって、プロセスカートリッジ１５は、内部位置から外部位置に到達し、プロセスカートリッジ１５の本体ケーシング２からの離脱動作が完了する。
（２）プロセスカートリッジの本体ケーシング対する装着動作
プロセスカートリッジ１５を本体ケーシング２に装着するには、上記した離脱動作と逆の手順に操作する。
【０１９４】
具体的には、ユーザは、図３に示すように、フラットベットスキャナ７を左側面視反時計回りに揺動させるとともに、トップカバー１１を開放位置に配置する。
【０１９５】
次いで、プロセスカートリッジ１５は、ユーザにより、カバー本体７９およびフラットベットスキャナ７のそれぞれと、第１壁部６５との間を通過した後、本体開口１０を介して、本体ケーシング２内に挿入される。つまり、プロセスカートリッジ１５は、スキャナユニット１６の上方において、フラットベットスキャナ７とスキャナユニット１６との間を通過して、本体ケーシング２に挿入される。
【０１９６】
このとき、カラー部９２が、対応する溝部５３の幅広部５７に挿入される。
【０１９７】
次いで、ユーザがプロセスカートリッジ１５を後下方に向かって押し込むと、カラー部９２は、幅広部５７の下端縁にガイドされた後、幅広部５７から幅狭部５８に移動し、次いで、幅狭部５８の下端部に到達する。
【０１９８】
これによって、プロセスカートリッジ１５は、外部位置から内部位置に到達し、本体ケーシング２に装着される。
【０１９９】
次いで、ユーザは、図１に示すように、トップカバー１１を開放位置から閉鎖位置に移動させるとともに、フラットベットスキャナ７を、第２壁部６６と接触するまで、左側面視時計回りに揺動させる。
【０２００】
以上によって、プロセスカートリッジ１５の本体ケーシング２からの装着動作が完了する。
【０２０１】
このようにプロセスカートリッジ１５が内部位置にある状態において、スコロトロン型帯電器２２、現像ローラ２６、トナー収容部１２７、スキャナユニット１６および給紙ローラ８は、感光ドラム２０の中心軸線Ａを上下方向に沿って通過する鉛直面Ｉに対して前方に配置され、定着ユニット１７および排紙ローラ３４は、鉛直面Ｉに対して後方に配置されている。つまり、スコロトロン型帯電器２２は、鉛直面Ｉに対して、スキャナユニット１６側に配置されている。
【０２０２】
また、ドラムフレーム２３は、スキャナユニット１６の後方に、スキャナユニット１６と前後方向に並んで配置されており、前後方向から見て、スキャナユニット１６と重なるように配置されている。そして、スキャナユニット１６、トナー収容部１２７、現像ローラ２６および感光ドラム２０は、前後方向に沿って、前方から後方に向かって順次並ぶように配置されている。
６．現像カートリッジの本体ケーシングに対する離脱動作および装着動作
次に、現像カートリッジ１９の本体ケーシング２に対する離脱動作および装着動作を説明する。
【０２０３】
現像カートリッジ１９を本体ケーシング２から離脱させるには、上記したプロセスカートリッジ１５の本体ケーシング２に対する離脱動作と同様に、図２に示すように、フラットベットスキャナ７を左側面視反時計回り方向に揺動させるとともに、トップカバー１１を開放位置に配置する。
【０２０４】
これによって、カバー本体７９およびフラットベットスキャナ７のそれぞれの前端部と、第１壁部６５との間に、現像カートリッジ１９が通過可能なスペースが確保される。なお、現像カートリッジ１９の本体ケーシング２から離脱動作において、カバー本体７９およびフラットベットスキャナ７と第１壁部６５との間のスペースは、現像カートリッジ１９の通過を許容できればよく、上記のプロセスカートリッジ１５の本体ケーシング２からの離脱動作と比較して狭くてもよい。
【０２０５】
そして、ユーザは、現像ハンドル１２５の現像把持部１４４を把持して、現像カートリッジ１９を前上方に引き出す。
【０２０６】
そうすると、図１、図２および図６Ａに示すように、コロ１３５が、受入溝９０の最深部９０Ｃにガイドされて前下方に向かって移動するとともに、トナー収容部１２７の底壁１２７Ａが、突出部９６の前上面にガイドされて前下方に移動する。これによって、現像カートリッジ１９は、前方に移動し、現像ローラ２６と感光ドラム２０との接触が解除される。
【０２０７】
そして、ユーザが現像カートリッジ１９をさらに引き出すと、コロ１３５は、最深部９０Ｃから途中部９０Ｂおよびさそい部９０Ａに順次にガイドされて、前上方に向かって移動する。これによって、現像カートリッジ１９は、前上方に向かって移動し、着脱開口９９を介して、内部位置にあるプロセスカートリッジ１５のドラムカートリッジ１８から離脱される。
【０２０８】
その後、現像カートリッジ１９は、本体開口１０を通過した後、カバー本体７９およびフラットベットスキャナ７のそれぞれと第１壁部６５との間のスペースを通過して、本体ケーシング２から離脱される。つまり、現像カートリッジ１９は、スキャナユニット１６の上方において、フラットベットスキャナ７とスキャナユニット１６との間を通過して、本体ケーシング２から離脱される。
【０２０９】
一方、現像カートリッジ１９を本体ケーシング２に装着するには、上記した離脱動作と逆の手順に操作する。
【０２１０】
具体的には、ユーザは、フラットベットスキャナ７を揺動させるとともに、トップカバー１１を開放位置に配置して、カバー本体７９およびフラットベットスキャナ７のそれぞれの前端部と、第１壁部６５との間に、現像カートリッジ１９が通過可能なスペースが確保する。
【０２１１】
次いで、現像カートリッジ１９は、ユーザにより、カバー本体７９およびフラットベットスキャナ７のそれぞれと第１壁部６５との間のスペースを通過した後、本体開口１０を介して本体ケーシング２内に挿入される。つまり、現像カートリッジ１９は、スキャナユニット１６の上方において、フラットベットスキャナ７とスキャナユニット１６との間を通過して、本体ケーシング２に挿入される。
【０２１２】
その後、現像カートリッジ１９は、コロ１３５が対応する受入溝９０のさそい部９０Ａに挿入されるように、着脱開口９９を介して、内部位置にあるプロセスカートリッジ１５のドラムカートリッジ１８に前上方から挿入される。
【０２１３】
次いで、ユーザが現像カートリッジ１９を後下方に向かって押し込むと、コロ１３５は、さそい部９０Ａから途中部９０Ｂを経て最深部９０Ｃに到達し、それらに順次ガイドされる。
【０２１４】
これによって、現像カートリッジ１９は、後下方に向かって移動し、ドラムカートリッジ１８の収容空間Ｓ内に収容される。つまり、受入溝９０は、現像カートリッジ１９のドラムカートリッジ１８に対する着脱をガイドする。
【０２１５】
その後、ユーザは、トップカバー１１を開放位置から閉鎖位置に移動させるとともに、フラットベットスキャナ７を左側面視時計回りに揺動させる。
【０２１６】
以上によって、現像カートリッジ１９の本体ケーシング２に対する装着動作が完了する。
７．作用効果
（１）ドラム把持部１２０は、図１に示すように、プロセスカートリッジ１５が内部位置にあるときに、スキャナユニット１６と上下方向に重なるように、スキャナユニット１６の上方に配置されている。そのため、前後方向において、プロセスカートリッジ１５とスキャナユニット１６との間のスペースを低減しても、ユーザは、ドラム把持部１２０を確実に把持することができ、プロセスカートリッジ１５を本体ケーシング２から円滑に離脱させることができる。
【０２１７】
つまり、プロセスカートリッジ１５を本体ケーシング２から円滑に離脱させることができながら、プリンタ１の前後方向の小型化を図ることができる。
（２）トナーを収容する現像カートリッジ１９は、図２に示すように、ドラムカートリッジ１８に対して着脱可能である。そのため、トナーを収容する現像カートリッジ１９と、感光ドラム２０を有するドラムカートリッジ１８とを別々に交換することができる。その結果、ランニングコストの低減を図ることができる。
【０２１８】
また、図１に示すように、ドラムカートリッジ１８は、ドラム把持部１２０を備えており、ドラム把持部１２０は、プロセスカートリッジ１５が本体ケーシング２に装着されているときに、スキャナユニット１６と上下方向に重なるように、スキャナユニット１６の上方に配置される。そのため、ユーザは、ドラム把持部１２０を確実に把持することができ、現像カートリッジ１９およびドラムカートリッジ１８を一体のプロセスカートリッジ１５として、本体ケーシング２から円滑に離脱させることができる。
【０２１９】
従って、ランニングコストの低減を図ることができながら、プロセスカートリッジ１５を本体ケーシング２から円滑に離脱させることができる。
（３）現像カートリッジ１９は、図１に示すように、現像把持部１４４を備えており、現像把持部１４４は、プロセスカートリッジ１５が内部位置にあるときに、スキャナユニット１６と上下方向に重なるように、スキャナユニット１６の上方に配置される。そのため、ユーザは、図２に示すように、現像把持部１４４を確実に把持することができ、現像カートリッジ１９を本体ケーシング２から円滑に離脱させることができる。
（４）現像把持部１４４は、図４に示すように、ドラム把持部１２０に対して、後方に並ぶように配置されている。そのため、現像カートリッジ１９またはプロセスカートリッジ１５を本体ケーシング２から離脱させるときに、ドラム把持部１２０または現像把持部１４４のいずれを把持すればよいかが明確となる。
【０２２０】
その結果、現像カートリッジ１９およびプロセスカートリッジ１５のそれぞれを、本体ケーシング２からより一層円滑に離脱させることができる。
（５）ドラムカートリッジ１８は、図１に示すように、貫通口９７を有しており、スキャナユニット１６からのレーザービームＬは、貫通口９７を通過した後、感光ドラム２０に到達する。そのため、ドラムカートリッジ１８が、レーザービームＬを遮ることを抑制でき、感光ドラム２０の露光の邪魔になることを抑制できる。
（６）ドラム把持部１２０は、図１に示すように、レーザービームＬの出射軌跡に対して上方に配置されている。そのため、ユーザは、ドラム把持部１２０に対して容易にアクセスすることができる。また、レーザービームＬは、ドラム把持部１２０の下方を通過するので、ドラム把持部１２０が感光ドラム２０の露光の邪魔になることを抑制できる。
（７）現像カートリッジ１９は、図１に示すように、現像ローラ２６がレーザービームＬの出射軌跡に対して下方となるように、本体ケーシング２内に配置されている。そのため、本体ケーシング２内において、レーザービームＬの出射軌跡よりも下方のスペースを、現像カートリッジ１９の現像フレーム２５を配置するためのスペースとして利用でき、現像カートリッジ１９の効率的な配置を確保することができる。
【０２２１】
また、ドラム把持部１２０がレーザービームＬの出射軌跡に対して上方に配置されているので、現像カートリッジ１９が上記のように配置されても、ユーザはドラム把持部１２０を容易に把持することができ、プロセスカートリッジ１５の本体ケーシング２からの円滑な離脱を確保することができる。
（８）本体ケーシング２は、図３に示すように、本体開口１０を有しており、プロセスカートリッジ１５は、本体開口１０を介して、本体ケーシング２に確実に着脱される。
【０２２２】
しかるに、本体開口１０はスキャナユニット１６に対して後方に配置されているので、ユーザが、スキャナユニット１６よりも前方から、内部位置にあるプロセスカートリッジ１５にアクセスする場合、ユーザからプロセスカートリッジ１５までの間には、スキャナユニット１６が配置される。そのため、ユーザからプロセスカートリッジ１５までの距離が遠くなり、プロセスカートリッジ１５の本体ケーシング２からの離脱作業が煩雑となる場合がある。
【０２２３】
しかし、本実施形態によれば、ドラム把持部１２０は、図１に示すように、プロセスカートリッジ１５が内部位置にあるときに、スキャナユニット１６と上下方向に重なるように、スキャナユニット１６の上方に配置されている。そのため、本体開口１０がスキャナユニット１６に対して後方に配置されていても、プロセスカートリッジ１５を本体ケーシング２から円滑に離脱させることができる。
（９）トップカバー１１は、図１〜図３に示すように、閉鎖位置と開放位置との間を移動する。そのため、トップカバー１１を閉鎖位置に配置することにより、外部からの光が、本体開口１０を介して、本体ケーシング２内に侵入することを低減できる。その結果、感光ドラム２０に外部からの光が当たることを抑制でき、感光ドラム２０の劣化や、感光ドラム２０の表面に形成される静電潜像が乱れることを抑制できる。
【０２２４】
一方、トップカバー１１を開放位置に配置することにより、本体開口１０が開放されるので、プロセスカートリッジ１５を、本体開口１０を介して、本体ケーシング２に確実に着脱することができる。
（１０）回動軸７８は、図１に示すように、内部位置にあるプロセスカートリッジ１５に対して、後上方に配置されており、トップカバー１１のカバー本体７９は、内部位置にあるプロセスカートリッジ１５に対して上方に配置されている。そのため、カバー本体７９の前端部は、回動軸７８よりも前方に配置される。
【０２２５】
その結果、ユーザは、スキャナユニット１６よりも前方から、トップカバー１１のカバー本体７９の前端部に容易にアクセスすることができる。
【０２２６】
そして、カバー本体７９の前端部を操作することにより、トップカバー１１を閉鎖位置と開放位置とに確実に移動させることができる。
（１１）回動軸７８は、図１に示すように、定着ユニット１７とスコロトロン型帯電器２２との前後方向の間に配置されている。そのため、定着ユニット１７から発生したガスが、スコロトロン型帯電器２２に供給されることを抑制することができる。
（１２）プリンタ１は、図１に示すように、フラットベットスキャナ７を備えている。そのため、プリンタ１は、フラットベットスキャナ７が読み取る原稿の画像情報に基づいて、用紙Ｐに画像を形成することができる。
【０２２７】
また、プロセスカートリッジ１５は、図３に示すように、本体ケーシング２に対して着脱するときに、スキャナユニット１６とフラットベットスキャナ７との間を通過する。そのため、フラットベットスキャナ７が、プロセスカートリッジ１５の本体ケーシング２に対する着脱の邪魔になることを抑制できる。
（１３）給紙ローラ８は、図１に示すように、内部位置にあるプロセスカートリッジ１５よりも前方に配置され、定着ユニット１７は、内部位置にあるプロセスカートリッジよりも後方に配置されている。つまり、給紙ローラ８と、プロセスカートリッジ１５と、定着ユニット１７とが、前後方向に並ぶように配置されている。そのため、プリンタ１の鉛直方向の小型化を図ることができる。
（１４）ドラム把持部１２０は、図５Ａおよび図５Ｂに示すように、揺動軸１１５を支点として揺動する。そのため、ドラム把持部１２０の操作性の向上を図ることができる。
（１５）スコロトロン型帯電器２２は、図１に示すように、鉛直面Ｉに対してスキャナユニット１６側に配置されている。そのため、スコロトロン型帯電器２２の効率的な配置を確保することができる。
８．第２実施形態〜第５実施形態
次に、図７〜図１０を参照して、本発明の画像形成装置の第２実施形態〜第５実施形態について説明する。なお、第２実施形態〜第５実施形態において、上記した第１実施形態と同様の部材には同様の符号を付し、その説明を省略する。
（１）第２実施形態  
第１実施形態では、図４に示すように、現像把持部１４４が、ドラム把持部１２０に対して後方に配置されるが、第２実施形態では、図７に示すように、ドラム把持部１２０が、現像把持部１４４に対して、後方に配置されている。
【０２２８】
この場合、ドラムハンドル８６は、ドラムフレーム２３のドラム前壁９３に固定されている。また、ドラムハンドル８６の左右方向の寸法は、現像ハンドル１２５の１対の連結部１４３の左右方向の間の間隔よりも小さく、ドラムハンドル８６の前後方向の寸法は、ドラム前壁９３と現像把持部１４４との前後方向の間の間隔よりも小さい。
【０２２９】
詳しくは、ドラムハンドル８６の１対の連結部１１９は、左右方向に間隔を空けて配置されている。１対の連結部１１９のそれぞれは、前後方向に延びる略平面視略矩形の板状を有している。そして、１対の連結部１１９のそれぞれは、ドラム前壁９３の上端部における左右両端部のそれぞれから、前上方に向かって延びている。ドラム把持部１２０は、左右方向に延びる平面視略矩形の板状を有しており、１対の連結部１１９の前端部間に架設されている。
【０２３０】
そして、プロセスカートリッジ１５が内部位置にある状態において、ドラムハンドル本体１１６は、現像ハンドル１２５の１対の連結部１４３の間に配置され、ドラム把持部１２０は、現像把持部１４４に対して後方に並ぶように配置される。
【０２３１】
また、ドラム把持部１２０は、第１壁部６５の第１傾斜部７０Ａの上面の後方部分に配置され、現像把持部１４４は、第１傾斜部７０Ａの上面の前方部分に配置される。
【０２３２】
そのため、ドラム把持部１２０および現像把持部１４４は、スキャナユニット１６と上下方向に重なるように、スキャナユニット１６の上方に配置されている。
【０２３３】
その結果、第２実施形態においても、上記した第１実施形態の作用効果を奏することができる。
（２）第３実施形態
第１実施形態では、図１に示すように、現像カートリッジ１９は、ドラムフレーム２３に対して着脱可能であるが、第３実施形態では、現像ユニット１９１は、図８に示すように、ドラムフレーム２３に着脱不能に構成されている。
【０２３４】
プロセスカートリッジ１５１は、ドラムフレーム２３１と、ドラムハンドル８６と、現像ユニット１９１とを備えている。
【０２３５】
ドラムフレーム２３１は、１対のドラム側壁８７と、ドラム底壁８８と、ドラム前壁９３と、転写収容壁８９と、帯電支持壁９４と、ドラム上壁９８とを一体に有している。
【０２３６】
ドラム上壁９８は、平面視略矩形の板状を有している。そして、ドラム上壁９８の前端部は、ドラム前壁９３の上端部に接続され、ドラム上壁９８の後端部は、帯電支持壁９４の前上端部に接続され、ドラム上壁９８の左右両端部は、１対のドラム側壁８７の上端部に接続されている。
【０２３７】
現像ユニット１９１は、ドラムフレーム２３１内において、ドラムフレーム２３１に固定されている。現像ユニット１９１は、現像フレーム２５１を有している。現像フレーム２５１は、１対の現像側壁１２６と、トナー収容部１２７と、ブレード支持部１２８と、現像底壁１２９とを一体に有している。
【０２３８】
なお、第３実施形態において、現像ユニット１９１は、現像ハンドル１２５を備えておらず、プロセスカートリッジ１５１は、ドラムハンドル８６のみを備えている。
【０２３９】
このような第３実施形態においても、上記した第１実施形態の作用効果を奏することができる。
（３）第４実施形態
第１実施形態では、図１に示すように、プロセスカートリッジ１５は、スコロトロン型帯電器２２を備えるが、第４実施形態では、図９に示すように、プロセスカートリッジ１５は、スコロトロン型帯電器２２に代えて、帯電ユニット２０２を備えていてもよい。
【０２４０】
帯電ユニット２０２は、帯電支持壁９４の本体部９４Ａ内に収容されている。
【０２４１】
帯電ユニット２０２は、帯電ローラ２００と、クリーニングローラ２０１とを備えている。
【０２４２】
帯電ローラ２００は、感光ドラム２０のドラム本体１００に対して、前上方に配置されている。帯電ローラ２００は、左右方向に延びる略円柱形状を有している。帯電ローラ２００は、ドラムフレーム２３に回転可能に支持されている。帯電ローラ２００の後下端部は、ドラム本体１００の前上端部に接触している。そして、帯電ローラ２００は、上記の画像形成動作において、ドラム本体１００の周面を一様に帯電する。
【０２４３】
クリーニングローラ２０１は、帯電ローラ２００に対して前上方に配置されている。クリーニングローラ２０１は、左右方向に延びる略円柱形状を有している。クリーニングローラ２０１は、ドラムフレーム２３に回転可能に支持されている。クリーニングローラ２０１の後下端部は、帯電ユニット２０２の前上端部に接触している。そして、クリーニングローラ２０１は、帯電ユニット２０２の周面に付着するトナーや紙粉などの付着物を回収するように構成されている。
【０２４４】
このような第４実施形態においても、上記した第１実施形態の作用効果を奏することができる。
（５）第５実施形態
第１実施形態では、図２に示すように、現像カートリッジ１９は、感光ドラム２０を備えるドラムカートリッジ１８に着脱可能に構成されるが、第５実施形態では、図１０に示すように、現像カートリッジ１９は、感光ドラム２０を備える本体ケーシング２に着脱可能に構成されている。
【０２４５】
この場合、本体ケーシング２は、感光ドラム２０と、転写ローラ２１と、スコロトロン型帯電器２２とを備えている。
【０２４６】
感光ドラム２０は、本体ケーシング２内の略中央において、スキャナユニット１６の前方に間隔を空けて配置され、定着ユニット１７の前下方に間隔を空けて配置されている。感光ドラム２０の左右両端部は、１対の側壁４６の前方部分４６Ｂの後端部に回転可能に支持されている。
【０２４７】
転写ローラ２１は、感光ドラム２０に対して後下方に配置されており、転写ローラ２１の左右両端部は、１対の側壁４６の前方部分４６Ｂの後下端部に回転可能に支持されている。スコロトロン型帯電器２２は、感光ドラム２０に対して、前上方に配置されており、スコロトロン型帯電器２２の左右両端部は、１対の側壁４６の前方部分４６Ｂの後上端部に支持されている。
【０２４８】
また、１対の側壁４６の前方部分４６Ｂのそれぞれは、その左右方向内面において、受入溝９０を有している。受入溝９０は、前方部分４６Ｂの左右方向の内方面から左右方向の外方に向かって凹んでおり、受入溝９０は、さそい部９０Ａと、途中部９０Ｂと、最深部９０Ｃとを有している。
【０２４９】
さそい部９０Ａは、前方部分４６Ｂの上端縁の前後方向略中央から後下方に向かって延びている。さそい部９０Ａは、後下方に向かうにつれて幅狭となる。途中部９０Ｂは、さそい部９０Ａの下端部から連続して、後方に向かって延びている。最深部９０Ｃは、途中部９０Ｂの後端部から連続して、後上方に向かって屈曲している。
【０２５０】
このようなプリンタ１において、現像カートリッジ１９は、仮想線で示すように、現像フレーム２５が、感光ドラム２０とスキャナユニット１６との前後方向の間に配置されるように、本体ケーシング２に装着される。つまり、スキャナユニット１６は、本体ケーシング２に装着された現像カートリッジ１９の現像フレーム２５に対して、前方に配置されている。また、現像フレーム２５は、レーザービームＬの出射軌跡よりも下方に位置しており、現像ローラ２６は、レーザービームＬの出射軌跡に対して下方に配置される。
【０２５１】
現像カートリッジ１９が本体ケーシング２に装着された状態において、コロ１３５は、受入溝９０の最深部９０Ｃに挿入され、現像ローラ２６のローラ本体１３３の後上端部が、感光ドラム２０のドラム本体１００の前下端部に接触する。
【０２５２】
また、現像ハンドル１２５の現像把持部１４４は、第１壁部６５の第１傾斜部７０Ａの上面の後方部分に配置される。そのため、現像把持部１４４は、スキャナユニット１６と上下方向に重なるように、スキャナユニット１６の上方に配置されており、レーザービームＬの出射軌跡よりも上方に配置されている。
【０２５３】
また、閉鎖位置にあるトップカバー１１のカバー本体７９は、本体ケーシング２に装着される現像カートリッジ１９に対して上方に間隔を空けて配置される。なお、回動軸７８は、本体ケーシング２に装着される現像カートリッジ１９に対して、後上方に配置されている。
【０２５４】
そして、現像カートリッジ１９を、本体ケーシング２から離脱させるには、上記した現像カートリッジ１９の本体ケーシング２に対する離脱動作と同様に、フラットベットスキャナ７を揺動させるとともに、トップカバー１１を開放位置に配置する。
【０２５５】
次いで、ユーザは、現像ハンドル１２５の現像把持部１４４を把持して、現像カートリッジ１９を前上方に引き出す。すると、コロ１３５が、最深部９０Ｃから途中部９０Ｂを経てさそい部９０Ａに順次移動し、それらにガイドされる。
【０２５６】
すると、現像カートリッジ１９は、前上方に向かって移動し、本体開口１０を通過した後、カバー本体７９およびフラットベットスキャナ７のそれぞれと第１壁部６５との間のスペースを通過して、本体ケーシング２から離脱される。
【０２５７】
一方、現像カートリッジ１９を本体ケーシング２に装着するには、上記した離脱動作と逆の手順に操作する。
【０２５８】
具体的には、ユーザは、現像カートリッジ１９を、カバー本体７９およびフラットベットスキャナ７のそれぞれと第１壁部６５との間のスペースを通過させた後、本体開口１０を介して、本体ケーシング２内に挿入する。このとき、コロ１３５は、対応するさそい部９０Ａに挿入された後、途中部９０Ｂを経て、最深部９０Ｃに到達する。以上によって、現像カートリッジ１９は、後下方に向かって移動し、本体ケーシング２に装着される。
【０２５９】
このような第５実施形態によれば、現像把持部１４４は、現像カートリッジ１９が本体ケーシング２に装着されているときに、上下方向においてスキャナユニット１６と重なるように、スキャナユニット１６の上方に配置されている。そのため、前後方向において、現像カートリッジ１９とスキャナユニット１６との間のスペースを低減しても、ユーザは、現像把持部１４４を確実に把持することができ、現像カートリッジ１９を本体ケーシング２から円滑に離脱させることができる。
【０２６０】
つまり、現像カートリッジ１９を本体ケーシング２から円滑に離脱することができながら、プリンタ１の前後方向の小型化を図ることができる。
【０２６１】
なお、上記の第１実施形態〜第５実施形態のそれぞれは、適宜組み合わせることができる。
【符号の説明】
【０２６２】
１      プリンタ
２      本体ケーシング
７      フラットベットスキャナ
８      給紙ローラ
９      給紙カセット
１０    本体開口
１１    トップカバー
１５    プロセスカートリッジ
１６    スキャナユニット
１７    定着ユニット
１８    ドラムカートリッジ
１９    現像カートリッジ
２０    感光ドラム
２２    スコロトロン型帯電器
２６    現像ローラ
７８    回動軸
８６    ドラムハンドル
９７    貫通口
１１５  揺動軸
１２０  ドラム把持部
１２５  現像ハンドル
１２７  トナー収容部
１４０  揺動軸
１４４  現像把持部
Ｐ      用紙
Ｉ      鉛直面
Ａ      中心軸線
【図１】
2015197517.tif 000003
【図２】
2015197517.tif 000004
【図３】
2015197517.tif 000005
【図４】
2015197517.tif 000006
【図５】
2015197517.tif 000007
【図６】
2015197517.tif 000008
【図７】
2015197517.tif 000009
【図８】
2015197517.tif 000010
【図９】
2015197517.tif 000011
【図１０】
2015197517.tif 000012